(57)【要約】【課題】作業性を向上させ、しかも自然薯の成長を促進可能とする自然薯栽培器および自然薯栽培システムを提供する。【解決手段】自然薯栽培器１は、自然薯５の種芋及び吸収根を育成するための土壌１２を蓄積するための容器１０と、前記容器１０に設けられた開口部２０と、前記開口部２０に、水平方向に対して所定の角度で取り付けられ、内部に自然薯５の新生芋を育成するための土壌１２を蓄積するための育成部３０と、前記育成部３０の内部を所定の広さの空間に分ける仕切部４０と、を備えている。このような自然薯栽培器であれば、育成部３０は仕切部４０によって所定の広さの空間に分けられているため、複数の自然薯５を栽培できるとともに、長くて形状のよい新生芋を栽培することができる。【選択図】図１
2018174933.tif 000002
【特許請求の範囲】
【請求項１】
自然薯の種芋及び吸収根を育成するための土壌を蓄積するための容器と、
前記容器に設けられた開口部と、
前記開口部に、水平方向に対して所定の角度で取り付けられ、内部に自然薯の新生芋を育成するための土壌を蓄積するための育成部と、
前記育成部の内部を所定の広さの空間に分ける仕切部と、
を備えたことを特徴とする自然薯栽培器。
【請求項２】
請求項１に記載の自然薯栽培器において、
前記仕切部は、前記育成部の鉛直方向に前記育成部の内部を所定の広さの空間に分けることを特徴とする自然薯栽培器。
【請求項３】
請求項１又は請求項２に記載の自然薯栽培器において、
前記仕切部は、少なくとも２つの板状部材から構成されていることを特徴とする自然薯栽培器。
【請求項４】
請求項３に記載の自然薯栽培器において、
前記板状部材は、所定の前記板状部材の水平方向に対してなす角度が、他の前記板状部材の水平方向に対してなす角度と異なることを特徴とする自然薯栽培器。
【請求項５】
請求項１〜請求項４のいずれか１項に記載の、複数の前記自然薯栽培器と、前記容器および前記育成部が鉛直方向に並ぶように前記複数の自然薯栽培器を固定するための固定部とを備えたことを特徴とする自然薯栽培システム。
【発明の詳細な説明】
【技術分野】
【０００１】
本発明は、自然薯の栽培に要する労力を軽減することができる自然薯の栽培装置に関する。
【背景技術】
【０００２】
従来、用土に下端が埋設されたパイプを垂直方向に保持して１列又は複数列に配設し、パイプ内の上端部まで用土を充填し、用土に自然薯の種芋を植え付けて適宜施肥と注水を行いながら育成させ、成長した蔓をパイプ間あるいはパイプの近傍に立設された支柱又は支柱に張架された誘導ネットに這わせ、収穫時にはパイプを用土から抜き取りパイプの一端を水流圧による押圧して用土と生育した自然薯をパイプから取り出すようにした自然薯栽培器がある（例えば、特許文献１参照）。
【先行技術文献】
【特許文献】
【０００３】
【特許文献１】特開２００１４−０７６０３９号公報
【発明の概要】
【発明が解決しようとする課題】
【０００４】
ところが、上記従来の自然薯栽培器は、パイプを垂直方向に保持して１列又は複数列配置している。したがって、装置の高さが高くなり、取扱いがし難くなるため作業性が悪いという問題がある。また、自然薯は、自然の状態では、蔓や親芋に対し土中で斜めに成長するという特性もあるのに対し、上記自然薯栽培器では、自然薯を垂直方法に成長させるようになっている。したがって、自然薯の成長にも悪影響を与えるという問題もある。
【０００５】
本発明は、こうした問題に鑑みなされたもので、作業性を向上させ、しかも自然薯の成長を促進可能とする自然薯栽培器及び自然薯栽培システムを提供することを目的とする。
【課題を解決するための手段】
【０００６】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００７】
［適用例１］
自然薯栽培器（１，１００，２００，３００）において、自然薯（５）の種芋（６）及び吸収根（７）を育成するための土壌（１２）を蓄積するための容器（１０，２１０）と、前記容器（１０，２１０）に設けられた開口部（２０，２２０）と、前記開口部（２０，２２０）に、水平方向に対して所定の角度で取り付けられ、内部に自然薯（５）の新生芋（８）を育成するための土壌（１２）を蓄積するための育成部（３０，２３０）と、前記育成部（３０，２３０）の内部を所定の広さの空間に分ける仕切部（４０，２４０）と、を備えたことを要旨とする。
【０００８】
このような自然薯栽培器では、種芋及び吸収根が容器で育成され、自然薯の栽培の際に成長して長く伸張していく新生芋が育成部で育成される。つまり、育成部は仕切部によって所定の広さの空間に分けられているため、複数の自然薯を栽培できるとともに、長くて形状のよい新生芋を栽培することができる。
【０００９】
［適用例２］
また、適用例１に記載の自然薯栽培器（１，１００，２００，３００）において、前記仕切部（４０，２４０）は、前記育成部（３０，２３０）の鉛直方向に前記育成部（３０，２３０）の内部を所定の広さの空間に分けることを要旨とする。
【００１０】
このような自然薯栽培器であれば、育成部の内部が鉛直方向に複数の空間に分けられているため、複数の自然薯を自然薯栽培器に対して水平方向に並べて栽培することができる。つまり、一つの自然薯栽培器で、複数の自然薯を効率よく栽培することができる。
【００１１】
［適用例３］
また、適用例１又は適用例２に記載の自然薯栽培器（１，１００，２００，３００）において、前記仕切部（４０，２４０）は、少なくとも２つの板状部材（４２，４７，２４２，２４７）から構成されていることを要旨とする。
【００１２】
このような自然薯栽培器であれば、育成部の内部に板状部材が備えられているため、自然薯を栽培すると新生芋が板状部材に沿って伸長することができ、長くて形状のよい新生芋を栽培することができる。
【００１３】
［適用例４］
また、適用例３に記載の自然薯栽培器（２００，３００）において、前記板状部材（２４２，２４７）は、所定の前記板状部材（２４２）の水平方向に対してなす角度が、他の前記板状部材（２４７）の水平方向に対してなす角度と異なることを要旨とする。
【００１４】
このような自然薯栽培器であれば、仕切部の複数の板状部材における各々のなす角度が異なるため、仕切部によって分けられた育成部の内部の空間が各々異なるものにすることができるとともに、新生芋が伸長するための空間の入口の大きさが異なるものにすることができる。したがって、このような自然薯栽培器によれば、複数の自然薯を栽培するときに、種芋の大きさに応じて、適した大きさの空間で栽培することができるため、長くて形状のよい新生芋を栽培することができる。
【００１５】
［適用例５］
適用例１〜適用例４のいずれか１例に記載の複数の前記自然薯栽培器（１）と、前記容器（１０）および前記育成部（３０）が鉛直方向に並ぶように前記複数の自然薯栽培器（１）を固定するための固定部（４５０）とを備えたことを要旨する自然薯栽培システム（４００）である。
【００１６】
このような自然薯栽培システムでは、容器および育成部が鉛直方向に並ぶように複数の自然薯栽培器が並べられている。したがって、複数の自然薯栽培器を並べたときに、自然薯栽培器の設置面積が少なくて済むので、多数の自然薯栽培器を面積効率よく配置でき、ひいては少ない面積で多くの自然薯を栽培することができる。
【図面の簡単な説明】
【００１７】
【図１】自然薯栽培器１の概略の構成を示す図であり、（ａ）は上面図であり、（ｂ）は断面図である。
【図２】自生栽培の場合の自然薯５の育ち方を説明するための図である。
【図３】自然薯栽培器１００の概略の構成を示す断面図である。
【図４】自然薯栽培器２００の概略の構成を示す断面図と、自然薯栽培器３００の概略の構成を示す断面図である。
【図５】自然薯栽培システム４００の概略の構成を示す外観図である。
【図６】自然薯栽培器５００の概略の構成を示す外観図である。
【図７】自然薯栽培器６００の概略の構成を示す外観図である。
【発明を実施するための形態】
【００１８】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１９】
［第１実施形態］
（自然薯栽培器１の構成）
図１に基づき、自然薯栽培器１の構成について説明する。図１は、自然薯栽培器１の概略の構成を示す図であり、（ａ）は上面図であり、（ｂ）は断面図である。
【００２０】
図１に示すように、自然薯栽培器１は、容器１０、開口部２０、育成部３０及び仕切部４０を備えている。
容器１０は、自然薯５の栽培の種芋６及び吸収根７を育成するための土壌１２を蓄積するものであり、段ボールなどの紙製の材料や、プラスチック、塩化ビニル、発泡スチロールなどの樹脂、ステンレスなどの金属、あるいは紙などの自然素材で形成された、上下に開口面が形成された略直方体状の部材であり、下側の開口面が開口部２０を構成する。
【００２１】
本実施形態では、容器１０の大きさは、平面の縦横の寸法が約９３０［ｍｍ］×約６００［ｍｍ］、深さが約２００［ｍｍ］である。
容器１０に蓄積される土壌１２は、鹿沼土に肥料を混ぜたものなどの他に、いわゆる土ではないが、食物等の栽培に用いられる腐葉土など自然薯５の栽培のための養分が多く含まれている栽培用の用土を含む。
【００２２】
育成部３０は、鉛直方向の三面が板状の側壁部によって囲まれ、水平方向に対して所定の角度をなす下側の傾斜面が板状の下傾斜面部３７によって形成され、二面に開口面が形成された箱状の部材であり、内部に自然薯５の新生芋８を育成するための土壌１２を蓄積するものである。具体的には、段ボールなどの紙製の材料や、プラスチック、塩化ビニル、発泡スチロールなどの樹脂製の材料を箱状にした部材の内部に土壌１２を入れて満たしたものである。また、自然薯栽培器１における容器１０と育成部３０とは、一体成型されているものである。
【００２３】
育成部３０の開口面のうちの一つは、容器１０の開口部２０の底面外側に取り付けられる部分である。なお、この容器１０に取り付けられる開口面の大きさは、容器１０の開口部２０と略同じ大きさである。また、水平方向に対して所定の角度をなす育成部３０の上側の傾斜面である上傾斜面３２は、開口面となっており、土壌１２が露出することとなる。開口部２０の底面外側に、水平方向に対して所定の角度で取り付けられ、内部に自然薯５の新生芋８を育成するための土壌１２を蓄積する部分である。
【００２４】
ここで所定の角度とは、図３に示すように、自生地栽培をした場合に自然薯５の新生芋８が伸張しやすい角度を基本とし、容器１０を設置する場合の設置しやすさ等を考慮して決定される角度である。なお、本実施形態では、所定の角度は、水平方向に対して１５度とする。
【００２５】
仕切部４０は、下傾斜面部３７と同様に所定の角度をなす板状の部材であり、育成部３０の内部を仕切って複数の空間に分けるものである。この仕切部４０は、第１板状部材４２と第２板状部材４７とで構成されており、これらの第１板状部材４２と第２板状部材４７とによって、育成部３０の内部空間を３つに分けることができる。
【００２６】
また、第１板状部材４２と第２板状部材４７は、水平方向に対して所定の角度をなすように、育成部３０の鉛直方向の側面の内側に固定されている。なお、本実施形態では、所定の角度は、水平方向に対して１５度とする。さらに、育成部３０の上傾斜面３２と第１板状部材４２との距離と、第１板状部材４２と第２板状部材４７との距離と、第２板状部材４７と下傾斜面部３７との距離とが、同じとなるように構成されている。
【００２７】
（自然薯栽培器１による栽培方法）
次に、図１に基づき、自然薯栽培器１を用いた自然薯５の栽培方法について説明する。図１に示すように、容器１０の内部および育成部３０の内部に適量の土壌１２を充填する。なお、育成部３０の内部に土壌１２を充填した後に、３つの自然薯５の芽の部分の各々が、育成部３０の上傾斜面３２と第１板状部材４２との間、第１板状部材４２と第２板状部材４７との間、第２板状部材４７と育成部３０の下傾斜面部３７との間に、位置するように土壌１２に横たえて埋め込み、土壌１２を容器１０の内部に満たしていく。
【００２８】
このようにすると、容器１０の養分の多い土壌１２に種芋６が埋設されるとともに、種芋６の周囲に吸収根７が埋設されるため、土壌１２から養分が吸収され、吸収された養分が新生芋８に供給される。また、新生芋８は、仕切部４０に沿って確実に育成部３０の内部に成長していくことができる。
【００２９】
（自生栽培した場合の自然薯５の育ち方）
ここで、図２に基づき、自生地栽培をした場合の自然薯５の育ち方について説明する。図２は、自生栽培の場合の自然薯５の育ち方を説明するための図である。
【００３０】
図２に示すように、自然薯５は、空気中の蔓や葉の分と土壌中の根の部分とで栽培される。また、土壌中には、芽９があり、芽９から種芋６、吸収根７及び新生芋８が伸びている。このうち種芋６及び新生芋８は、茎の一部であって、養分を吸収しない。むしろ、養分があると、芋が分岐したり腐ったりする場合がある。
【００３１】
これに対し、吸収根７は、芽９から８〜１０本出て養分を吸収し、主に新生芋８に養分を供給し、新生芋８の成長を促す。また、吸収根７は、いわゆる浅根性を有しており、地表近くを広がるように伸びる。したがって、図２に示すように、種芋６及び吸収根７を土壌の浅い部分に埋設し、新生芋８が土壌の深い部分で成長するようにして、新生芋８を育成する。
【００３２】
（自然薯栽培器１の特徴）
以上のような自然薯栽培器１では、種芋６及び吸収根７が容器１０で育成され、新生芋８が育成部３０で栽培される。つまり、自然薯５の栽培の際に成長して長く伸長していく新生芋８が育成部３０で育成されるため、長くて形状のよい新生芋８を栽培することができる。
【００３３】
また、育成部３０の内側においては、板状部材の仕切部４０を備えている。したがって、自然薯５の栽培の際に長く伸長していく新生芋８が仕切部４０に沿って育成されるため、長くて形状のより新生芋８を栽培することができる。
【００３４】
さらに、育成部３０の内側においては、仕切部４０の第１板状部材４２および第２板状部材４７とのよって、３つの空間が形成されている。つまり、３つの新生芋８が長く伸長することができる空間が確保されていることとなる。したがって、各空間に一つの自然薯５を栽培することができるため、一つの自然薯栽培器１によって複数の自然薯５を栽培することができる。
【００３５】
そして、自然薯栽培器１は、鉛直方向に深くなるように構成されているため、鉛直方向の下側の土壌１２は、外気温の影響を受けにくいこととなる。したがって、このような自然薯栽培器１であれば、新生芋８が成長する方向の土壌において、冬は土壌の温度が下がりにくく、夏は太陽光による温度が上昇することを防ぐことができるため、新生芋８の成長を促進することができる。
【００３６】
また更に、自然薯栽培器１は、上傾斜面３２において土壌１２が露出しているため、育成部３０において土壌１２が露出していない構造のものに比べ、育成部３０の内部における換気が効率的にされることとなる。したがって、このような自然薯栽培器１であれば、容器１０の内部および育成部３０の内部における土壌１２の湿度および温度が適切に保たれ易くなるため、種芋６に対する環境を好適にすることができるとともに、新生芋８の成長を促進することができる。
【００３７】
［第２実施形態］
図３に基づき、自然薯栽培器１００について説明する。図３は、自然薯栽培器１００の概略の構成を示す断面図である。
【００３８】
なお、第２実施形態では、ビニルシート１５０を除けば、第１実施形態の自然薯栽培器１と同じであるため、同じ部材については、同じ符号を付して説明を省略する。また、容器１０、育成部３０、および仕切部４０は、第１実施形態の自然薯栽培器１における各々と同じ素材で形成されている。
【００３９】
図３に示すように、自然薯栽培器１００における容器１０の開口部２０の近傍には、開口部２０の略全体を覆う適度な厚さのビニルシート１５０が設けられている。このビニルシート１５０は、ビニルシート１５０の上方にて育成される自然薯５の育成芋８が伸長すると、育成芋８によって孔が形成されるような厚さのものである。
【００４０】
このような自然薯栽培器１００によれば、容器１０の上方から水が供給されると、水分や土壌１２の養分が溶けた水分等がビニルシート１５０の下方に浸透し難くなっている。そのため、自然薯栽培器１００は、水分等がビニルシート１５０の上方に滞留し、ビニルシート１５０の上方に位置する吸収根７により吸収され易い構造になっている。つまり、このような自然薯栽培器１００であれば、ビニルシート１５０が設けられていない第１実施形態の自然薯栽培器１に比べ、吸収根７により水分等が吸収され易いため、新生芋８の成長を促進させることができる。
【００４１】
［第３実施形態］
図４（ａ）に基づき、自然薯栽培器２００について説明する。図４（ａ）は、自然薯栽培器２００の概略の構成を示す断面図である。
【００４２】
なお、第３実施形態では、容器２１０、育成部２３０、および仕切部２４０を除けば、第１実施形態の自然薯栽培器１と同じであるため、同じ部材については、同じ符号を付して説明を省略する。また、容器２１０、育成部２３０、および仕切部２４０は、第１実施形態における容器１０、育成部３０、および仕切部４０と同じ素材で形成されている。
【００４３】
図４（ａ）に示すように、容器２１０は、上下に開口面が形成され断面形状が略台形を成すような形状の部材であり、下側の開口面が開口部２２０を形成する。また、育成部２３０において、上傾斜面２３２は水平方向に対して２０度（θ１）を成し、下傾斜面部２３７は水平方向に対して１０度（θ４）を成すように形成されている。さらに、仕切部２４０において、第１板状部材２４２は水平方向に対して２０度（θ２）を成し、第２板状部材２４７は水平方向に対して１５度（θ３）を成すように形成されている。
【００４４】
このような自然薯栽培器２００であれば、仕切部における板状部材の角度が一定のもので形成されているものに比べて、板状部材と育成部の側面との間を広くなるように形成することができる。そのため、このような自然薯栽培器２００で自然薯５を栽培すると、吸収根７の伸びるスペースを十分に確保することができるため、吸収根７の張りが良くなるとともに、新生芋８の成長を促進することができる。
【００４５】
［第４実施形態］
図４（ｂ）に基づき、自然薯栽培器３００について説明する。図４（ｂ）は、自然薯栽培器３００の概略の構成を示す断面図である。
【００４６】
なお、第４実施形態では、ビニルシート３５０を除けば、第３実施形態の自然薯栽培器２００と同じであるため、同じ部材については、同じ符号を付して説明を省略する。また、容器１０、育成部２３０、および仕切部２４０は、第３実施形態の自然薯栽培器２００における各々と同じ素材で形成されている。
【００４７】
図４（ｂ）に示すように、自然薯栽培器３００における容器２１０の開口部２２０の近傍には、開口部２２０の略全体を覆う適度な厚さのビニルシート３５０が設けられている。このビニルシート３５０は、上述の第２実施形態におけるビニルシート１５０と同様のもので、ビニルシート３５０の上方にて育成される自然薯５の育成芋８が伸長すると、育成芋８によって孔が形成されるような厚さのものである。
【００４８】
このような自然薯栽培器３００であれば、上述の第２実施形態と同様に、容器１０の上方から水が供給されると、水分や土壌１２の養分が溶けた水分等がビニルシート３５０の下方に浸透し難くなっている。そのため、このような自然薯栽培器１００であれば、ビニルシート３５０が設けられていない第３実施形態の自然薯栽培器２００に比べ、ビニルシート３５０の上方に滞留する水分等が吸収根７により吸収され易いため、新生芋８の成長を促進させることができる。
【００４９】
［第５実施形態］
図５に基づき、自然薯栽培システム４００について説明する。図５は、自然薯栽培システム４００の概略の構成を示す外観図である。
【００５０】
（固定部４５０の構成）
図５に示すように、固定部４５０は、基部４５２、座部４５４及び支柱４５６を備えている。基部４５２は、固定部４５０の土台となる部分であり、スチールなどの金属の板材を平面形状が長方形になるように組み合わせて、溶接やボルトなどで接合した部材である。また、基部４５２の４隅には、自然薯栽培システム４００を移動できるようにするための車輪４５２ａが取り付けられている。
【００５１】
座部４５４は、自然薯栽培器を外側に傾けた状態で載置するための部材であり、スチールなどの金属の板材を平面形状が長方形で、育成部３０の底面が載置できる大きさになるように組み合わせて、溶接やボルトなどで接合した部材である。
【００５２】
支柱４５６は、基部４５２と座部４５４とを結合するための、スチールなどの金属の板材であり、基部４５２の長手方向の板材と座部４５４の短手方向の板材とを溶接やボルトで接合して、座部４５４を基部４５２に対して支えている。また、支柱４５６は、座部４５４を、外側が低い所定の角度となるように固定してある。
【００５３】
（固定部４５０の使用方法）
以上のような構成の固定部４５０に、複数（本実施形態では２個）の自然薯栽培器１を鉛直方向に上下二段となるように並べて座部４５４に載置して固定する。また、下側の自然薯栽培器１の育成部３０の上方に、上側の自然薯栽培器１の容器１０および育成部３０が配置するように固定される。
【００５４】
このような自然薯栽培システム４００であれば、２個の自然薯栽培器１が上下二段となるように固定される。したがって、複数の固定部４５０を利用すれば、多数の自然薯栽培器１を面積効率よく配置でき、ひいては少ない面積で多くの自然薯を栽培することができる。
【００５５】
［その他の実施形態］
（１）上記実施形態においては、容器１０、２１０と育成部３０、２３０とは一体成型されているものとしていたが、容器１０、２１０と育成部３０、２３０とが別々の部材であって、組み付けて合体させるような構成のものであってもよい。例えば、図６に示すように、上記実施形態とは異なる実施形態である自然薯栽培器５００としては、容器５１０、育成部５３０、支柱５５６、固定具５６０とで構成されてものであってもよい。この自然薯栽培器５００における容器５１０と育成部５３０とは、各々が別の部材であり、固定具５６０（例えば、ボルトとナットであってもよい。）で組み付け固定されている。また、育成部５３０は、直方体の箱状のものであり、支柱５５６によって、水平方向に対して所定の角度をなすような構成である。更に、育成部５３０は、直方体の箱状のものであればよく、例えば、家庭菜園に利用される市販のプランターを利用することもできる。
【００５６】
（２）上記実施形態においては、育成部３０、２３０における上傾斜面３２、２３２は開口面で土壌１２が露出するような構造であったが、開口面でなく板状部材にて覆われている構造であってもよい。また、上傾斜面３２、２３２を覆う板状部材は、育成部３０、２３０と一体的に成形されているものであってもよいが、育成部に対して着脱可能な構造であってもよい。
【００５７】
（３）上記実施形態において、容器１０、２１０を段ボールなどの紙製の材料、プラスチック、塩化ビニル、発泡スチロールなどを略直方体の箱状としていたが、塩化ビニルの袋（排水用の穴を穿ったものでもよい）や目の細かい網状の袋、あるいは、発泡スチロールに土壌などを蓄積して容器としてもよい。
【００５８】
（４）上記実施形態では、育成部３０、２３０を箱状等の部材であるとしたが、育成部３０，２３０の一部に開口となる切欠きが形成され土壌１２が露出した構造の筒状のものであってもよいし、断面形状が凹状で土壌１２が露出した構造の箱状のものであってもよい。
【００５９】
（５）上記実施形態では、育成部３０、２３０は、プラスチックなどの樹脂製の材料で形成されているとしたが、袋や袋に穴を穿って水捌けを良くしたものあるいは網状の袋に土壌１２を充填したものを、所定の角度となるように板状のもので支えるようにしてもよい。
【００６０】
（６）上記第１、２実施形態では、仕切部４０の第１板状部材４２および第２板状部材４７は、育成部３０に対して固定されているものとしたが、固定されずに所定の角度をなすように設けられていてもよい。
【００６１】
（７）上記第３、４実施形態では、仕切部２４０の第１板状部材２４２および第２板状部材２４７は、育成部２３０に対して各々が所定の角度をなすように固定されているものとしたが、各々の角度を調整可能な機構で設けられていてもよい。このような仕切部の構
造を有する自然薯栽培器であれば、自然薯５の種芋６等の大きさに応じて、育成部２３０の内部における仕切部２４０によって形成される空間の大きさを適切に調整することができるため、長くて形状のよい新生芋８を栽培することができる。
【００６２】
（８）上記実施形態において、３本の自然薯５を並べて栽培していたが、栽培する自然薯５の数は、これに限定されるものではなく、開口部２２０の長手方向の長さに応じて、４本以上の自然薯５を並べて栽培してもよい。例えば、図７に示すように、上記実施形態に比べ大きいサイズの自然薯栽培器６００であれば、容器６１０の長手方向および短手方向に複数の自然薯５を並べて栽培することができる。
【００６３】
（９）上記第５実施形態の自然薯栽培システム４００では、２個の自然薯栽培器１が上下二段となるように固定されていたが、３個以上の自然薯栽培器１が多段で固定される構造の固定部としてもよい。
【００６４】
（１０）上記実施形態において、自然薯栽培器に充填される土壌１２は、１種類のものであったが、複数の種類のものであってもよい。例えば、土壌としては、鹿沼土に肥料を混ぜたものや、食物等の栽培に用いられる腐葉土などが考えられる。上記実施形態の自然薯栽培器に対して、このような複数種類の土壌を利用した栽培方法としては、容器に充填される土壌と、育成部に充填される土壌との種類を変える方法が考えられる。ここで、育成部に充填される土壌は、容器に充填される土壌に比べて、含まれている養分が少ないものとする。これは、育成部で育成される新生芋は、茎の一部で養分を吸収しないものであり、養分があると分岐したり腐ったりする場合があるためである。
【００６５】
（１１）上記実施形態においては、自然薯を栽培するための自然薯栽培器の実施形態を記載したが、本発明の実施形態としての栽培器は、自然薯だけでなく栽培方法が同じであれば、長芋などの山芋類の栽培にも適用可能であるため、自然薯としては長芋など栽培方法が同じ山芋類も含まれることを意味するものとする。
【符号の説明】
【００６６】
１，１００，２００，３００，５００，６００…自然薯栽培器、４００…自然薯栽培システム、５…自然薯、６…種芋、７…吸収根、８…新生芋、９…芽、１０，２１０，５１０…容器、１２…土壌、２０，２２０…開口部、３０，２３０，５３０…育成部、３２，２３２…上傾斜面、３７，２３７…下傾斜面部、４０，２４０…仕切部、４２，２４２…第１板状部材、４７，２４７…第２板状部材、１５０，３５０…ビニルシート、４５０…
固定部、４５２… 基部、４５２ａ… 車輪、４５４… 座部、４５６，５５６… 支柱、
５６０…固定具。
【図１】
2018174933.tif 000003
【図２】
2018174933.tif 000004
【図３】
2018174933.tif 000005
【図４】
2018174933.tif 000006
【図５】
2018174933.tif 000007
【図６】
2018174933.tif 000008
【図７】
2018174933.tif 000009